(57)【要約】【課題】蓄電池の充電、保守点検、交換等の作業を容易に行え、蓄電池の盗難防止等をも考慮した新規な移動型投光装置を提供する。【解決手段】側蓋３０を開いて下段収納空間１１から引出し部２０を引き出し、支持脚４０で略水平に支持された側蓋３０に載せて蓄電池３の充電、保守点検等の作業を行う。上蓋１３を開いて、上段収納空間１０に収納された蓄電池３の充電、保守点検等の作業を行う。側蓋３０は支持脚４０に設けた第一のロック機構５０、ケース４内に設けた第二のロック機構６０でその開動を規制され、上蓋１３はケース４内に設けた第三のロック機構６０’でその開動を規制されるので、蓄電池３の盗難等を防止し得る。小扉７１を開いて基体フレーム６の引っ掛け部１５を露出させ、その引っ掛け部１５にワイヤを引っ掛けてクレーン等で投光装置Ａを持ち上げる。投光装置Ａの荷重は基体フレーム６にかかるので、ケース４が破損するような虞れがない。【選択図】  図５
2005190800.tif 000002
【特許請求の範囲】
【請求項１】
台車に立設した伸縮支柱の上端に照明器具を装備すると共に、前記照明器具に電源を供給する電池を、前記台車と一体化されたケースに収納した移動型投光装置であって、
前記ケース内に収容され該ケースの側面開口から引き出し自在な引出し部に前記電池を収納すると共に、前記引出し部を支持する支持手段を備え、
前記支持手段を、前記引出し部がケース内に収容されたときは前記ケースに収容され、前記引出し部が引き出されたときは該引出し部を支持し得るよう変形可能に形成したことを特徴とする移動型投光装置。
【請求項２】
前記支持手段を、前記ケースから引き出された前記引出し部が載承される載承部材と、該載承部材を略水平に支持する支持脚から形成し、前記支持脚を前記載承部材に折り畳み自在に設けたことを特徴とする請求項１記載の移動型投光装置。
【請求項３】
前記支持脚を、前記ケースに収容される折り畳み状態と、前記載承部材を略水平に支持し得る起立状態との間を回動自在に設けると共に、該支持脚の折り畳み状態を維持して前記引出し部の引き出しを不能とする第一のロック機構を備えたことを特徴とする請求項２記載の移動型投光装置。
【請求項４】
前記載承部材が、前記ケースの側面開口を開閉自在に塞ぐ側蓋であり、前記支持脚を該側蓋の表面に折り畳み自在に設けると共に、該支持脚が折り畳み状態にある時は前記第一のロック機構により、前記側蓋で前記側面開口を閉じる状態が維持されるよう形成したことを特徴とする請求項３記載の移動型投光装置。
【請求項５】
前記載承部材が、前記ケースから引き出し自在なレール部材であることを特徴とする請求項２又は３記載の移動型投光装置。
【請求項６】
前記側面開口を塞ぐ側蓋の閉状態を維持する第二のロック機構を前記ケース内に備え、前記第二のロック機構は、前記ケースの上面開口側からの操作で前記側蓋の閉状態を解除し得るよう形成されていることを特徴とする請求項１〜５のいずれかに記載の移動型投光装置。
【請求項７】
前記ケースの上面開口を開閉自在に塞ぐ上蓋と、該上蓋に設けた窓孔を開閉自在に塞ぐ小扉を備え、該小扉を開いて前記第二のロック機構による前記側蓋の閉状態の解除がなされるよう形成したことを特徴とする請求項６記載の移動型投光装置。
【請求項８】
前記上蓋の閉状態を維持する第三のロック機構を備え、該第三のロック機構による上蓋の閉状態を前記小扉を開いて解除し得るよう形成したことを特徴とする請求項７記載の移動型投光装置。
【請求項９】
前記ケースの内部に上段収納空間と下段収納空間を区画形成し、前記下段収納空間に収納される電池を前記引出し部の引き出しにより取り出し可能とし、前記上段収納空間に収納される電池を前記ケースの上蓋を開いて取り出し可能としたことを特徴とする請求項１〜８のいずれかに記載の移動型投光装置。
【請求項１０】
前記ケースが基体フレームを側板と底板で囲むよう形成され、前記基体フレームの上辺部に投光装置を吊り上げる際の引っ掛け部を設けると共に、該引っ掛け部を前記ケースの上蓋に設けた窓孔に臨むよう形成したことを特徴とする請求項１〜９のいずれかに記載の移動型投光装置。
【発明の詳細な説明】
【技術分野】
【０００１】
本発明は、夜間の工事現場やイベント会場などで使用される移動型投光装置に関し、詳しくは、電源として電池を搭載した移動型投光装置の改良に関する。
【背景技術】
【０００２】
従来、例えば特許文献１，２に記載されるように、発電機を搭載する台車に伸縮支柱を立設すると共に、該伸縮支柱の上端に投光器式やバルーン式の照明器具を装備し、発電機から供給される電力を安定器を介して電球に供給して照明器具による投光を行うよう構成した移動型投光装置が知られている。
【０００３】
このような投光装置は、電力会社より供給される電力の利用が困難である場所でも適宜明るさの照明を得ることができる移動型投光装置として、例えば夜間の道路工事現場などで好適に用いられているが、電力源として発電機を使用しているため、点灯時に排気ガスや騒音が発生し、夜間における住宅街での使用やトンネル内での使用が困難であるなどの問題があった。
【０００４】
このような問題を解消するために、例えば特許文献３には、電力源として蓄電池（バッテリー）を用い、該蓄電池をキャスター付きのボディ（ケース）に内蔵すると共に、そのボディ上面に立ち上げたマストの上端に投光器を装備したバッテリー式の移動型投光装置が記載されている。
【０００５】
【特許文献１】実開平６−３７０３３号公報
【特許文献２】特開２００３−３６７０９号公報
【特許文献３】特開平１１−２２４５０６号公報
【発明の開示】
【発明が解決しようとする課題】
【０００６】
前記特許文献３には、ケースに内蔵された蓄電池の保守点検や充電時の作業については言及されていないが、この種移動型投光装置は通常、４００Ｗ以上の高圧放電ランプを２〜８灯程度備えているので、使用する蓄電池も例えば容量（２０時間率）：２２５ＡＨ／６Ｖのもので６〜８個程必要である。
よって、投光装置使用の度の充電作業や長期の使用に伴う蓄電池の保守点検、交換等のためにケースを開く必要がある。ケースに開口部を設ければ蓄電池の出し入れは可能であるが、個々の蓄電池が重量物のため作業が大変になるという問題がある。
また、単にケースに開口部を設けた場合、蓄電池が盗難される等の虞れがあり、盗難防止についても配慮が要求される。
【０００７】
本発明はこのような従来事情に鑑みてなされたもので、その目的とする処は、ケース内に収納した電池の充電、取り出し、保守点検等の作業を容易に行うことができる新規な移動型投光装置を提供することにある。また本発明の他の目的は、ケース内に収納した電池の充電、取り出し、保守点検等の作業を容易に行うことができ、且つ、電池の盗難等の防止をも考慮した新規な移動型投光装置を提供することにある。
【課題を解決するための手段】
【０００８】
以上の目的を達成するために、請求項１に係る発明は、台車に立設した伸縮支柱の上端に照明器具を装備すると共に、前記照明器具に電源を供給する電池を、前記台車と一体化されたケースに収納した移動型投光装置であって、前記ケース内に収容され該ケースの側面開口から引き出し自在な引出し部に前記電池を収納すると共に、前記引出し部を支持する支持手段を備え、前記支持手段を、前記引出し部がケース内に収容されたときは前記ケースに収容され、前記引出し部が引き出されたときは該引出し部を支持し得るよう変形可能に形成したことを特徴とする。
ここで、台車と一体化されたケースとは、台車と別体に形成されたケースを台車上に固定する態様に限らず、ケースに車輪を設けて台車とする態様等をも含むものである。
また、前記支持手段がケースに収容されるとは、支持手段がケース内に収まる状態に限らず、ケースの側面、上面等に沿うよう畳まれたり、ケースの下方空間に収容されるなどの各種態様をも含むものである。
また、本発明において電池とは、充電器により充電される蓄電池や燃料電池などをあげることができる。蓄電池としては、例えば特開平１１−２２４５０６号に記載されるように、完全密閉型の硫酸鉛蓄電池、コロイド電解液式の蓄電池、特殊蓄電池、シリコン電解液による非固形式の蓄電池や、その他、太陽光を電力に変換して蓄電する太陽電池など、この種分野で公知の蓄電池を適宜用いることができる。燃料電池としては、燃料(例えば水素と水)を連続的に外部から供給し、放電生成物を逐次系外へ除去し、燃焼反応を電気化学的に行わせ、直接電気エネルギーに変換すると共に、台車などの移動手段に搭載可能な大きさ、重量に構成されたものが好ましく用いることができる。
【０００９】
請求項２に係る発明は、前記支持手段を、前記ケースから引き出された前記引出し部が載承される載承部材と、該載承部材を略水平に支持する支持脚から形成し、前記支持脚を前記載承部材に折り畳み自在に設けたことを特徴とする。
ここで、載承部材としては、板状部材やレール部材などをあげることができ、これら部材を、起立状態と略水平な状態の間を回動自在としたり、ケース内又はケース側面，底面に沿う位置から引き出し自在とする態様をあげることができる。
【００１０】
請求項３に係る発明は、前記支持脚を、前記ケースに収容される折り畳み状態と、前記載承部材を略水平に支持し得る起立状態との間を回動自在に設けると共に、該支持脚の折り畳み状態を維持して前記引出し部の引き出しを不能とする第一のロック機構を備えたことを特徴とする。
ここで、支持脚がケースに収容されるとは、ケース内に収まる状態に限らず、ケースの側面、上面等に沿うよう畳まれたり、ケースの下方空間に収容されるなどの各種態様をも含むものである。
また、第一のロック機構の態様として、支持脚とケースのいずれか一方に係合部を、他方に被係合部を設け、支持脚が折り畳み状態にある時にそれら係合部と被係合部が係合して支持脚の折り畳み状態を維持すると共に引出し部の引き出しを不能とする一方、支持脚を起立方向へ回動させるとそれら係合部と被係合部の係合が解除されて引出し部の引き出しが可能となる機構をあげることができる。
【００１１】
請求項４に係る発明は、前記載承部材が、前記ケースの側面開口を開閉自在に塞ぐ側蓋であり、前記支持脚を該側蓋の表面に折り畳み自在に設けると共に、該支持脚が折り畳み状態にある時は前記第一のロック機構により、前記側蓋で前記側面開口を閉じる状態が維持されるよう形成したことを特徴とする。
【００１２】
請求項５に係る発明は、前記載承部材が、前記ケースから引き出し自在なレール部材であることを特徴とする。
レール部材は、ケース内に収容されるよう折り畳み自在としたり、ケース内に収容される状態とケース外に引き出した状態との間を摺動自在としたり、ケースの側面や底面に沿う状態から引き出されるよう摺動自在とするなど、各種の態様が例示できる。
【００１３】
請求項６に係る発明は、前記側面開口を塞ぐ側蓋の閉状態を維持する第二のロック機構を前記ケース内に備え、前記第二のロック機構は、前記ケースの上面開口側からの操作で前記側蓋の閉状態を解除し得るよう形成されていることを特徴とする。
【００１４】
請求項７に係る発明は、前記ケースの上面開口を開閉自在に塞ぐ上蓋と、該上蓋に設けた窓孔を開閉自在に塞ぐ小扉を備え、該小扉を開いて前記第二のロック機構による前記側蓋の閉状態の解除がなされるよう形成したことを特徴とする。
【００１５】
請求項８に係る発明は、前記上蓋の閉状態を維持する第三のロック機構を備え、該第三のロック機構による上蓋の閉状態を前記小扉を開いて解除し得るよう形成したことを特徴とする。
【００１６】
請求項９に係る発明は、前記ケースの内部に上段収納空間と下段収納空間を区画形成し、前記下段収納空間に収納される電池を前記引出し部の引き出しにより取り出し可能とし、前記上段収納空間に収納される電池を前記ケースの上蓋を開いて取り出し可能としたことを特徴とする。
【００１７】
請求項１０に係る発明は、前記ケースが基体フレームを側板と底板で囲むよう形成され、前記基体フレームの上辺部に投光装置を吊り上げる際の引っ掛け部を設けると共に、該引っ掛け部を前記ケースの上蓋に設けた窓孔に臨むよう形成したことを特徴とする。
ここで、基体フレームとは、ケースの基礎構造体となる枠型のフレームであり、通常は鉄などの鋼材により枠組み形成されたものである。
【発明の効果】
【００１８】
本発明に係る移動型投光装置は以上説明したように構成したので、以下に記載されるような効果を奏する。
【００１９】
（請求項１）
ケースの側面開口から引出し部を引き出し、その引出し部を支持手段で支持することができるので、引き出し量を大きくしても引出し部を安定して支持でき、引出し部に収納された電池への充電コードの取り付け，取り外しや特電池の保守点検、交換作業などを容易に行うことができる。また、引出し部がケース内に収容されているときは支持手段もケースに収容されるので、投光装置の運搬や使用（投光）時に支持手段が邪魔になるような虞れもない。
【００２０】
（請求項２）
支持手段を、引出し部が載承される載承部材と、該載承部材を支持する折り畳み自在な支持脚とで構成したので、請求項１による前述の効果を簡素な構成で実現することができた。
【００２１】
（請求項３）
引出し部がケース内に収容されているときは、載承部材と共に支持脚がケースに収容されると共に、支持脚の折り畳み状態において第一のロック機構により引出し部の引き出しが不能となるので、ケース内に収容された引出し部が不用意に引き出されるような虞れもなく、投光装置の運搬や使用（投光）を安全に行うことができる。
【００２２】
（請求項４）
側蓋を開いてケースの側面開口から引出し部を引き出し、その引出し部を、支持脚で略水平に支持された側蓋で支持することができるので、引き出し量を大きくしても引出し部を安定して支持でき、引出し部に収納された電池への充電コードの取り付け，取り外しや特電池の保守点検、交換作業などを容易に行うことができる。また、ケースの側面開口を側蓋で塞いでいるので、該側蓋を、例えば南京錠などの施錠手段等で施錠するなどして作業者以外の者による開閉を規制することで、電池の盗難等を容易に防止することができる。また、ケースの側面開口を塞ぐ側蓋が載承部材を兼用するので、別途載承部材を設ける必要がなく、より低コストで前述の効果を得ることができた。
【００２３】
（請求項５）
ケースから引き出した引出し部を、支持脚で略水平に支持されたレールで支持することができるので、引き出し量を大きくしても引出し部を安定して支持でき、引出し部に収納された電池への充電コードの取り付け，取り外しや特電池の保守点検、交換作業などを容易に行うことができる。
【００２４】
（請求項６）
ケース内部に設けた第二のロック機構により側蓋の開閉が規制されるので、別途施錠手段等を要することなく、電池の盗難等を容易に防止することができる。また、第一のロック機構を備えた場合は、両ロック機構による二重ロックが働き、前述の効果をより実効あるものとし得る。さらに、ケースの上面開口を上蓋で開閉自在に塞ぐと共に、該上蓋を施錠手段等で施錠すれば、電池の盗難等をより確実に防止することができる。
【００２５】
（請求項７）
ケースの上面開口を塞ぐ上蓋の窓孔を開いて側蓋の開動を可能にするので、別途施錠手段等を要したり上蓋を一々開閉することなく、前述の効果を得ることができる。また、窓孔を塞ぐ小扉を施錠手段等で施錠すれば、電池の盗難等をより確実に防止することができる。
【００２６】
（請求項８）
第三のロック機構によりケース上蓋の開閉をも規制するので、二重，三重のロック機構を備えたケースとなり、電池の盗難等をより確実に防止することができる。また、ケース上部に配置される安定器やその他の機器の盗難防止等をも図ることができる。また、窓孔を塞ぐ小扉を施錠手段等で施錠すれば、極めて信頼性の高い盗難防止等の効果を発揮することができる。
【００２７】
（請求項９）
ケース内上部にも電池を収納することができ、且つ上蓋の開閉を規制して盗難防止も図ることができるので、前述の各効果に加え、より多くの電池を搭載した長時間点灯可能な移動型投光装置として提供することができる。
【００２８】
（請求項１０）
投光装置を運搬するために重機等で吊り上げる際の引っ掛け部を、台車と一体化されたケースの基体フレームに設けたので、ケースが損傷するような虞れなく、投光装置の運搬を行うことができる。すなわち、前記引っ掛け部をケース上面等に設けた場合、該引っ掛け部にワイヤー等を連結して重機等で吊り上げると投光装置の荷重がケース上面にかかって破損する虞れがある。これに対し本発明では、投光装置の荷重が基体フレームで分散されるので、ケースが損傷するような虞れなく投光装置を運搬することができる。
また、その引っ掛け部を、ケース上蓋の窓孔に臨むよう設けたので、一々上蓋を開閉することなく、投光装置の運搬作業を行うことができる。
【発明を実施するための最良の形態】
【００２９】
以下、本発明に係る移動型投光装置の実施形態の例を図面を参照して説明する。
【００３０】
図１〜図９に示す移動型投光装置Ａは、電球を反射器に装着した投光器式の照明器具１を備えたもので、その照明器具１が上端に装備された伸縮支柱２を、電力源としての複数の蓄電池３が収納されたケース４を搭載した台車５に立ち上げて構成されている（図１，図２参照）。
【００３１】
台車５は、台車ベースの前後左右に車輪を備えたもので、本例では台車５と別体に形成したケース４を台車５上に移動不能に固定しているが、車輪付きのケースで台車を一体形成することも可能である。
【００３２】
台車５の後部に立設された伸縮支柱２は、台車５に固定した基管柱２ａに対して遂次内径を小さくした少なくとも一つの中管柱、図示例では二本の中管柱２ｂ，２ｃを順次上下摺動可能に遊嵌すると共に、滑車，ワイヤ，ウインチを組み合わせた昇降手段、或いはガスダンパーなどの昇降手段を内蔵してなり、これら昇降手段の作動で各中管柱を順次上下摺動させることによってその長さを調節し、照明器具１の高さを適宜に設定し得るよう構成されている。
【００３３】
最上位の中管柱２ｃの上端には支持フレーム２ｄが固定され、その支持フレーム２ｄにより照明器具１が支持されている。照明器具１は不図示のケーブルを介して蓄電池３に通電し、蓄電池３から供給される電力で投光を行うようになっている。
【００３４】
ケース４は、図３に示すように、基体フレーム６の外側に所要数の側板７、底板８を固定してなる箱型のケースで、中板９により内部を上段収納空間１０と下段収納空間１１に分割し、上面開口１２を上蓋１３で開閉自在に閉じ、任意の側面に側面開口１４を備えたもので、側面開口１４から出し入れされる後述の引出し部２０が、下段収納空間１１に収容されている。
【００３５】
基体フレーム６は、鋼材を連結した方形状枠体６ａをケース４の中央に配すると共に、その左右側辺部の中高部位と下端に左右の横杆６ｂを固定してなり、ケース４に所定の強度と耐久性を付与している。
【００３６】
方形状枠体６ａの中高部位には中杆６ｃが架設され、上辺部６ａ’のほぼ中央から中杆６ｃにわたって縦杆６ｄが連設されると共に、その縦杆６ｄの直上に、投光装置Ａを吊り上げる際の引っ掛け部１５が形成されている。
ケース４の底板８には、引出し部２０の出し入れをガイドする左右のレール１６が固定されている。
【００３７】
引出し部２０は、図２、図４、図５に示すように、複数の蓄電池３、本例では容量（２０時間率）：２２５ＡＨ／６Ｖの蓄電池６個を３列に載承可能な大きさの載せ板２１の下面に前記レール１６でガイドされる所要数の車輪２２を設けると共に、その載せ板２１の左右両側に支持杆２３を立設し、前端に手掛け部２４を設けたもので、側面開口１４からの出し入れが自在となるようケース４の下段収納空間１１に摺動自在に収容されている。
【００３８】
ケース４の側面開口１４は、引出し部２０の支持手段を構成する載承部材を兼用する側蓋３０により開閉自在に塞がれている。
側蓋３０は、その下縁を側面開口１４の下縁にヒンジ３１により開閉動自在に枢着されると共に、側蓋３０の表面に設けた左右の支持脚４０により、側面開口１４を開いた際にケース４の底板８と略面一に（略水平に）支持されるようになっている。
側蓋３０の裏面には、前記レール１６の延長線上に位置するガイド溝３２が形成されている。
【００３９】
支持脚４０は、引出し部２０の支持手段を構成するもので、本例では図６に示すように、側蓋３０の表面に固定した支軸４１により上端部を軸支して、側蓋３０に沿う折り畳み状態と、側蓋３０を略水平に支持し得る起立状態（側蓋３０に対し略直角に立ち上がる状態）との間を回動自在に支持されている。
支持脚４０の上部には、支軸４１に係脱自在に係合する爪部材４２と、該爪部材４２を支軸４１に係合する方向へ付勢するバネ４３と、爪部材４２を支軸４１との係合が解除される方向へ回動させる釦４４を備えたストッパー４５が設けられると共に、側蓋３０の開動を規制する第一のロック機構５０が設けられている。
【００４０】
第一のロック機構５０は、側面開口１４の上縁に設けた左右の被係合部（開口部）５１と、支持脚４０の上端に設けられ支持脚４０と一体に回動する係合部（爪部材）５２からなり、支持脚４０が折り畳み状態にある時は爪部材５２が開口部５１に係合して側蓋３０の開動を規制し側面開口１４を閉じた状態が維持される一方、支持脚４０の起立方向への回動に伴い爪部材５２が開口部５１から抜け出て側蓋３０の開動が自在となるよう構成されている。
【００４１】
側蓋３０により側面開口１４を閉じた状態は、第二のロック機構６０によっても維持されるようになっている。第二のロック機構６０は、図７に示すように、側蓋３０の裏面上部に設けた被係合部（被係合環）６１と、ケース４の内部に摺動可能に設けた係合部（係合杆）６２からなる。
係合杆６２は、前記被係合環６１に係脱自在に係合する爪部材６３と、該爪部材６３を被係合環６１と係合する方向に付勢するバネ６４と、側面開口１４の上方に位置する側板７の裏面に沿って上下摺動可能に支持された操作棒６５からなり、該操作棒６５の先端（下端）を前記爪部材６３に連結し、通常時はバネ６４の付勢力により爪部材６３が被係合環６１に係合して側蓋３０の開動を規制し側面開口１４を閉じた状態が維持される一方、操作棒６５を引き上げると先端の爪部材６３が被係合環６１から外れて側蓋３０の開動が自在となるよう構成されている。
操作棒６５はその上端がケース４の上面開口１２の近傍に位置する長さを備え、操作棒６５の引き上げ操作をケース４の上面開口１２から手を入れて行えるようになっている。
【００４２】
ケース４の上面開口１２を塞ぐ上蓋１３は、図８、図９に示すように、その側縁を上面開口１２の側縁にヒンジ１３’により開閉動自在に枢着されていると共に、第三のロック機構６０’によりその開動が規制され、上蓋１３により上面開口１２を閉じた状態が維持されるようになっている。
第三のロック機構６０’は、上蓋１３に設けた被係合部（被係合環）６１と、ケース４の内部に摺動可能に設けた係合部（係合杆）６２からなり、第二のロック機構６０と基本的には同様の構成のため一部図示を省略し、図７を援用して以下に説明する。
すなわち、上蓋１３の裏面側縁には被係合部（被係合環）６１が設けられ、ケース４の内部に摺動可能に設けた係合部（係合杆）６２先端の爪部材６３がバネ６４の付勢力により被係合環６１に係合することで、上蓋１３の開動が規制されて上面開口１２を閉じた状態が維持される一方、操作棒６５を引っ張ると爪部材６３が被係合環６１から外れて上蓋１３の開動が自在となるよう構成されている。
操作棒６５はその基端が上蓋１２に設けた窓孔７０の近傍に位置する長さを備え、操作棒６５の引っ張り操作を窓孔７０に手を入れて行えるようになっている。
窓孔７０は上蓋１２の略中央に形成されると共に、小扉７１で開閉自在に塞がれており、該小扉７１は南京錠等の施錠手段で解除可能に施錠し得るようになっている。
【００４３】
以上の構成になる本例の移動型投光装置Ａによれば、第三のロック機構６０’により上蓋１３の開動が規制される（閉状態が維持される）と共に、第一及び第二のロック機構５０，６０により側蓋３０の開動が規制される（閉状態が維持される）ので、上段収納空間１０及び下段収納空間１１に収納された複数の蓄電池３の盗難等の虞れはないと共に、運搬時や投光中に引出し部２０が不用意に引き出されるような虞れなく安全に作業を行うことができる。
【００４４】
上段収納空間１０に収納された蓄電池３への充電や保守点検、交換等を行う際は、まず小扉７１の施錠を解除して窓孔７０を開き（図９参照）、窓孔７０に手を入れて第三のロック機構６０’の操作棒６５を引っ張り、上蓋１３裏面の被係合環６１に対する爪部材６３の係合を解除した後、上蓋１３を開いて作業を行う。
【００４５】
下段収納空間１１に収納された蓄電池３への充電や保守点検、交換等を行う際は、まず、前述の手順で上蓋１３を開き、上面開口１２に手を入れて第二のロック機構６０の操作棒６５を引き上げ、側蓋３０裏面の被係合環６１に対する爪部材６３の係合を解除する。次いで、釦４４を押して支軸４１に対する爪部材４２の係合を解除した後、左右の支持脚４０を起立方向へ回動させて第一のロック機構５０の爪部材５２を開口部５１から抜き出し、且つ両支持脚４０を起立状態に位置させた後、側蓋３０を開いて略水平に支持し（図４参照）、その状態で、手掛け部２４を掴んで引出し部２０を側面開口１４から引き出し、側蓋３０上に載せて作業を行う（図５参照）。
【００４６】
投光装置Ａを運搬車に積んだり運搬車から降ろす際には、前述の手順で窓孔７０を開いて基体フレーム６の引っ掛け部１５を露出させ（図９参照）、この引っ掛け部１５にワイヤーを引っ掛けて運搬作業を行う。その際、投光装置Ａの荷重は基体フレーム６にかかるので、ケース４が損傷するような虞れはない。
【００４７】
尚、本例においては電球を反射器に装着した投光器式の照明器具１を用いたが、バルーン式の照明器具を用いることもできる。
バルーン式の照明器具は、例えば本願出願人による先提案の特開２００３−３６７０９号などに記載されたものと同様の構成のためここでは詳述しないが、空気供給装置で膨らませるバルーン内に保持枠を立設すると共にその中に電球を保持してなり、蓄電池３から供給される電力を電球と空気吸込み装置に供給して、バルーンを膨らませた状態で電球を点灯し、その照射光をバルーンを通過させることで眩しさを低減し、且つ、光を広い範囲に照射し得るようになっている。
【００４８】
以下、上述した側蓋、支持脚、引出し部等を変更した他の実施形態例を、図１０〜図１３を参照して説明するが、既述の実施形態例と同様の構成部分及び作動等については図中に同一の符号を付すなどして重複する説明、図示を省略し、変更点のみ詳述する。
【００４９】
図１０，図１１に示す例では、側蓋３０’は、その下縁を側面開口１４の下縁にヒンジ３１’により開閉動自在に枢着されると共に、不図示の支持部材により、側板７に対し９０度以上の角度をもって開いた状態が解除可能に維持されるようになっている。
側蓋３０’の裏面には前記したガイド溝３２は形成されず、その代わり前記した左右のレール１６の先端に、載承部材としての延長レール８０がヒンジ８１を介して、略直角に立ち上がる折り畳み状態とレール１６の延長上に位置する略水平な状態の間を回動自在に連結されている。
【００５０】
延長レール８０の先端には前記した支持脚４０が折り畳み自在に連結されている。支持脚４０は、延長レール８０先端に固定した支軸４１により上端部を軸支して、延長レール８０に沿う折り畳み状態と、延長レール８０を略水平に支持し得る起立状態（延長レール８０の下面側に略直角に立ち上がる状態）との間を回動自在に支持されている。
支持脚４０の上部には、前記した爪部材４２、バネ４３、釦４４を備えたストッパー４５が設けられると共に、延長レール８０の回動を規制する前述の第一のロック機構５０が設けられている。
【００５１】
この例において引出し部２０を引き出す際は、まず、第二のロック機構６０の操作棒６５を引き上げ、側蓋３０’裏面の所定箇所に設けた被係合環６１に対する爪部材６３の係合を解除した後、側蓋３０’を開いて不図示の支持部材により略水平状態にロックする。次いで、釦４４を押して支軸４１に対する爪部材４２の係合を解除した後、左右の支持脚４０を起立方向へ回動させて第一のロック機構５０の爪部材５２を開口部５１から抜き出し、且つ両支持脚４０を起立状態に位置させた後、左右の延長レール８０を倒して支持脚８０により略水平に支持する。その状態で、手掛け部２４を掴んで引出し部２０を側面開口１４から引き出し、左右の延長レール８０上に載せて作業を行う。
【００５２】
図１２，図１３に示す例では、側蓋３０’は前記同様、ヒンジ３１’により開閉動自在に枢着されると共に、不図示の支持部材により、側板７に対し９０度以上の角度をもって開いた状態が解除可能に維持されるようになっている。
またこの例では、前記延長レール８０に代えて、前記した左右のレール１６の内側又は外側に、載承部材としての摺動レール８５が、ケース４内に設けた複数のガイドローラ８６により、レール１６の内側又は外側に重なってケース４内に収納された状態と、レール１６の延長上に位置するようケース４外に引き出された状態の間を摺動自在となるよう形成されている。
【００５３】
摺動レール８５の先端には前記した支持脚４０が折り畳み自在に連結されている。支持脚４０は、摺動レール８５先端に固定した支軸４１により上端部を軸支して、摺動レール８５に対し上方へ向けて略直角に立ち上がる折り畳み状態と、摺動レール８５を略水平に支持し得る起立状態（摺動レール８５の下面側に略直角に立ち上がる状態）との間を回動自在に支持されている。
支持脚４０の上部には、前記した爪部材４２、バネ４３、釦４４を備えたストッパー４５が設けられると共に、摺動レール８５の回動を規制する前述の第一のロック機構５０が設けられ、その爪部材５２が係脱自在に係合する開口部５１は、ケース４の中底板８’に形成されている。
【００５４】
この例において引出し部２０を引き出す際は、まず、第二のロック機構６０の操作棒６５を引き上げ、側蓋３０’裏面の所定箇所に設けた被係合環６１に対する爪部材６３の係合を解除した後、側蓋３０’を開いて不図示の支持部材により略水平状態にロックする。次いで、釦４４を押して支軸４１に対する爪部材４２の係合を解除し、左右の支持脚４０を起立方向へ回動させて第一のロック機構５０の爪部材５２を開口部５１から抜き出した後、左右の摺動レール８５を引き出し、且つ両支持脚４０を起立状態に位置させて摺動レール８５を略水平に支持する。その状態で、手掛け部２４を掴んで引出し部２０を側面開口１４から引き出し、左右の摺動レール８５上に載せて作業を行う。
【００５５】
以上、本発明の実施形態の例を図面を参照して説明したが、本発明に係る移動型投光装置は図示例に限定されず、特許請求範囲の各請求項に記載された技術的思想の範疇において種々の変更が可能であることは言うまでもない。
【図面の簡単な説明】
【００５６】
【図１】本発明に係る移動型投光装置の実施形態の一例を示す側面図で、引出し部を収容した状態を表す。
【図２】図１の正面図で、引出し部を引き出した状態を表す。
【図３】ケースの基体フレームを示す拡大斜視図。
【図４】側蓋を開いて支持脚で支持した状態の斜視図。
【図５】引出し部を引き出した状態の斜視図。
【図６】第一のロック機構を説明する支持脚の拡大図。
【図７】第二，第三のロック機構の説明図で、（イ）はケースの簡略正面図、（ロ）はロック機構の要部を拡大して示す断面図。
【図８】ケース上面の拡大斜視図。
【図９】上蓋の小扉を開いた状態の斜視図。
【図１０】本発明に係る移動型投光装置の実施形態の一例を示す要部の縦断面図で、引出し部を収容した状態を表す。
【図１１】図１１の斜視図で、側蓋を開いた状態を示す。
【図１２】本発明に係る移動型投光装置の実施形態の一例を示す要部の縦断面図で、引出し部を収容した状態を表す。
【図１３】図１２の斜視図で、側蓋を開いた状態を示す。
【符号の説明】
【００５７】
Ａ：移動型投光装置
１：照明器具
２：伸縮支柱
３：蓄電池（電池）
４：ケース
５：台車
６：基体フレーム
１０：上段収納空間
１１：下段収納空間
１２：上面開口
１３：上蓋
１４：側面開口
１５：引っ掛け部
２０：引出し部
３０：側蓋（載承部材）
４０：支持脚
５０：第一のロック機構
５１：被係合部（開口部）
５２：係合部（爪部材）
６０：第二のロック機構
６０’：第三のロック機構
６１：被係合部（被係合環）
６２：係合部（係合杆）
６３：爪部材
６５：操作棒
８０：延長レール（載承部材）
８５：摺動レール（載承部材）
【図１】
2005190800.tif 000003
【図２】
2005190800.tif 000004
【図３】
2005190800.tif 000005
【図４】
2005190800.tif 000006
【図５】
2005190800.tif 000007
【図６】
2005190800.tif 000008
【図７】
2005190800.tif 000009
【図８】
2005190800.tif 000010
【図９】
2005190800.tif 000011
【図１０】
2005190800.tif 000012
【図１１】
2005190800.tif 000013
【図１２】
2005190800.tif 000014
【図１３】
2005190800.tif 000015